(57)【要約】【課題】乗りかごの重量増加を抑制する。【解決手段】エレベータは、乗りかご１０に設けられた蓄電池装置６０と、昇降路１０５に配置されて蓄電池装置６０に給電可能な給電装置７０と、を有する。蓄電池装置６０は、乗りかご１０のかご床１５を下方で支持するように配置されたかご床受けフレーム３１に着脱可能で、かご室の内部または外部に配置される電気装置に電力供給可能である。乗りかご１０は、かご室の外側に取り付けられて蓄電池装置６０を充電するための充電装置５０を有する。【選択図】図１
2011246218.tif 000002
【特許請求の範囲】
【請求項１】
昇降路内に懸架されたロープに吊り下げられて、前記昇降路内を上下移動可能な乗りかごを有するエレベータにおいて、
前記乗りかごは、
前記乗りかごのかご床を下方で支持するように配置されたかご床受けフレームと、
前記かご床受けフレームに着脱可能で、かご室の内部または外部に配置される電気装置に電力供給可能な少なくとも１つの蓄電池装置と、
前記かご室の外側に取り付けられて、前記蓄電池装置を充電するための充電装置と、
を有し、
前記昇降路の壁面に配置されて、前記乗りかごが停止しているときに前記充電装置に給電可能に構成された給電装置を有すること、
を特徴とするエレベータ。
【請求項２】
前記蓄電池装置は、
前記充電装置によって充電されて前記電気装置に電力供給可能な蓄電部材と、
この蓄電部材を挿入可能な収容部と、
を含むことを特徴とする請求項１に記載のエレベータ。
【請求項３】
前記収容部は複数の前記蓄電部材を収容可能で、１つの収容部に収容される前記各蓄電部材は互いに電気的および機械的に接続可能に構成されていること、を特徴とする請求項２に記載のエレベータ。
【請求項４】
前記かご床受けフレームには、少なくとも１つの前記蓄電池装置が着脱可能な電池取付け部が少なくとも１つ形成されて、
１つの前記電池取付け部に複数の前記蓄電池装置が取り付けられているときに、前記各蓄電装置は互いに電気的および機械的に接続可能に構成されていること、
を特徴とする請求項１ないし請求項３のいずれか一項に記載のエレベータ。
【請求項５】
前記かご床受けフレームは長方形状の枠で、この枠の４隅それぞれに前記電池取付け部が設けられていること、
を特徴とする請求項４に記載のエレベータ。
【発明の詳細な説明】
【技術分野】
【０００１】
本発明の実施形態は、昇降路内を上下移動する乗りかごを有するエレベータに関する。
【背景技術】
【０００２】
ロープ式のエレベータの乗りかごは、昇降路内の例えば上方に配置された巻上げ機に懸架されたメインロープに、吊り下げられている。この乗りかごには、乗りかごの下部にバランス調整装置が設けられているものがある。このバランス調整装置は、乗りかごの所定の複数個所それぞれに作用する荷重に偏りがあるときにこの偏りを調整するものである。また、当該バランス調整装置は、乗りかごの姿勢、例えばかご室を床面の水平度を調整するものである。
【０００３】
一方、当該乗りかごは、かご室内の照明装置、かご扉を開閉するための扉駆動装置、かご室内に配置される各種表示装置等の電気装置を有する。これらの電気装置には電力が供給される。当該電力を供給するために、この乗りかごには充電式の蓄電池が取り付けられているものがある。
【先行技術文献】
【特許文献】
【０００４】
【特許文献１】特開２００１−１３９２４２号公報
【発明の概要】
【発明が解決しようとする課題】
【０００５】
バランス調整装置は、一般に、かご床板を支持するためのかご床板受けフレームの４隅それぞれに取り付けられた複数のバランス錘を有する。このバランス錘を取り付けることで、乗りかごの姿勢等を調整している。これらのバランス錘は、鋳物や鋼鈑材により形成される部材である。
【０００６】
ところが、これらのバランス錘は、乗りかごの姿勢等を調整することはできるが、乗りかごの重量が増加する。乗りかごの重量が増加すると、乗りかごを上下移動させるための巻上げ機のモータに作用する負荷が増加する。
【０００７】
一方、乗りかごに配置される電気装置に電力を供給するための蓄電池は、要求される電気容量が大きい場合には、当該蓄電池の質量が大きくなる。この場合、この蓄電池も乗りかごの重量を増加させる。
【０００８】
本発明の実施形態は上記課題を解決するためのものであり、その目的は、エレベータの乗りかごの重量増加を抑制することである。
【課題を解決するための手段】
【０００９】
上記目的を達成するための実施形態に係るエレベータは、昇降路内に懸架されたロープに吊り下げられて、前記昇降路内を上下移動可能な乗りかごを有するエレベータにおいて、前記乗りかごは、前記乗りかごのかご床を下方で支持するように配置されたかご床受けフレームと、前記かご床受けフレームに着脱可能で、かご室の内部または外部に配置される電気装置に電力供給可能な少なくとも１つの蓄電池装置と、前記かご室の外側に取り付けられて、前記蓄電池装置を充電するための充電装置と、を有し、前記昇降路の壁面に配置されて、前記乗りかごが停止しているときに前記充電装置に給電可能に構成された給電装置を有すること、を特徴とする。
【図面の簡単な説明】
【００１０】
【図１】本発明に係る第１の実施形態のエレベータの構成を示す概略正面図である。
【図２】図１の乗りかご等を示す概略正面図である。
【図３】図２の床板受けフレーム等を下方から見た概略斜視図である。
【図４】図３の蓄電池装置を電池側突出接点がある方から見た概略斜視図である。
【図５】図４の蓄電池装置を電池側穴接点がある方から見た概略斜視図である。
【図６】図２のVI−VI矢視部分立断面図である。
【図７】本発明に係る第２の実施形態のエレベータの蓄電池装置およびその付近を示す概略正面図である。
【図８】本発明に係る第３の実施形態のエレベータの蓄電池装置およびその付近を示す概略正面図である。
【図９】本発明に係る第４の実施形態のエレベータの蓄電池装置を示す概略斜視図である。
【図１０】図９の収容部に電池部材を挿入する状態を示す概略斜視図である。
【発明を実施するための形態】
【００１１】
以下、実施形態について、図面を参照して説明する。
【００１２】
［第１の実施形態］
第１の実施形態のエレベータについて、図１〜図６を用いて説明する。図１は、本実施形態に係るエレベータの構成を示す概略正面図である。図２は、図１の乗りかご１０等を示す概略正面図である。図３は、図２の床板受けフレーム３１等を下方から見た概略斜視図である。図４は、図３の蓄電池装置６０を電池側突出接点６５がある方から見た概略斜視図である。図５は、図４の蓄電池装置６０を電池側穴接点６６がある方から見た概略斜視図である。図６は、図２のVI−VI矢視部分立断面図である。
【００１３】
先ず、本実施形態のエレベータの構成について説明する。
【００１４】
本実施形態のエレベータは、乗りかご１０に蓄電池装置６０が取り付けられるタイプのエレベータである。すなわち、このエレベータは、乗りかご１０の外部にある電源から電力を供給するために乗りかご１０に接続されるテールコードを必要としない、テールコードレスタイプのエレベータである。
【００１５】
本実施形態のエレベータは、昇降路１０５の上方に配置される巻上げ機１００と、この巻上げ機１００のメインシーブ１００ａ等に懸架されるメインロープ１０１と、このメインロープ１０１に吊り下げられて昇降路１０５を上下移動する乗りかご１０と、この乗りかご１０に釣り合うようにメインロープ１０１に吊り下げられた釣合い錘１０２と、を有する。
【００１６】
乗りかご１０は、天井板１２と床板１５と、複数の側板１３と、を有する。この乗りかご１０内のかご室２０は、天井板１２、床板１５、および複数の側板１３等で囲まれて形成される。側板１３の一部が開口されて、この開口部位には開閉可能なかご扉１４が配置される。このかご扉１４は、扉駆動装置（図示せず）によって開閉される。かご室２０内には、照明装置２１や行先等を表示する表示装置（図示せず）等が、配置されている。天井板１２の上方には、扉駆動装置、照明装置２１および表示装置等の電気装置を制御するための機器制御装置２２が配置される。この機器制御装置２２は、各電気装置に電力を供給する機能も含まれる。
【００１７】
また、この乗りかご１０は乗りかごフレーム（図示せず）を有する。この乗りかごフレームは、天井板１２、床板１５、および側板１３等の外側に配置されて、これらを支持している。この乗りかごフレームには、床板１５を下方で受けるように支持する床板受けフレーム３１が含まれる。
【００１８】
この床板受けフレーム３１は、少なくとも４つの直線状のフレームを有し、これらで長方形状をなす（図３）。この例では、長方形の長辺フレーム同士を２つの梁３６で連結して、床板１５を支持するための支持強度を向上させている。床板受けフレーム３１の４隅には、後述するバランス錘４０および蓄電池装置６０が着脱可能な取付け部３２が形成されている。この取付け部３２および蓄電池装置６０等については後で説明する。
【００１９】
この乗りかご１０は、複数のバランス錘４０と、このバランス錘４０と同じ形状の蓄電池装置６０と、この蓄電池装置６０を充電するための充電装置５０と、を有する。
【００２０】
バランス錘４０は、鋳物または鉄鋼板等で形成される。これらのバランス錘４０それぞれは、床板受けフレーム３１の各取付け部３２に着脱可能で、乗りかご１０に作用する荷重に偏りがあるときに、取付け数を調整して当該偏りを抑制する機能を備えている。蓄電池装置６０は、上述した扉駆動装置、照明装置２１、表示装置等の乗りかご１０に配置される電気装置に電力を供給する。これらのバランス錘４０および蓄電池装置６０の形状等については、後で説明する。
【００２１】
充電装置５０は、外部からの電気供給を受ける受電部５１と、蓄電池装置６０に電気を充電する充電部５２と、を有する（図１）。この充電部５２は、天井板１２の上部に配置される。受電部５１は後述する給電装置７０の給電部７１と互いに機械的および電気的に接触可能に構成される。充電部５２は、電気回路等を介して蓄電池装置６０に電気的に接続される。
【００２２】
給電装置７０は、昇降路１０５が形成される建屋の所定の乗場１０４、例えば１階の乗場１０４扉の上方で、且つ昇降路１０５の壁面に配置される。なお、当該給電装置７０は、各階層に配置してもよい。この給電装置７０には、充電装置５０の受電部５１に機械的および電気的に接続可能な給電部７１が設けられている。
【００２３】
乗りかご１０が１階で停止しているときに、受電部５１および給電部７１が互いに機械的に接続されて、接続中に給電部７１から受電部５１に電気が供給される。供給された電気は、充電装置５０の充電部５２に一時的に蓄えられる。この充電部５２は、電気回路等を介して蓄電池装置６０を充電する。充電された蓄電池装置６０は、乗りかご１０の各電気装置に電力を供給することができる。
【００２４】
ここで、バランス錘４０および蓄電池装置６０の形状、並びに床板受けフレーム３１の取付け部３２の形状等について説明する。
【００２５】
この乗りかご１０には、複数のバランス錘４０および蓄電池装置６０を取り付けることができる。先ず、蓄電池装置６０の形状について説明する。各蓄電池装置６０は、図４および図５に示すように、長板状の部材で、長手側両側の側面それぞれの一部に凹部６１が形成される。この蓄電池装置６０は、電気が蓄電される蓄電部６２、電気接点接続部６３および挿入側係合部６４を有する。
【００２６】
蓄電部６２は、凹部６１を境にして一方の側、すなわち、図４および図５における凹部６１の下側に形成されて、電気を蓄電する機能を備えて所定の電圧を発生させることができる。
【００２７】
電気接点接続部６３は、蓄電部６２の面内の表裏で、表側に２つの電池側突出接点６５と、裏側に２つの電池側穴接点６６とが、それぞれ形成される。２箇所の電池側突出接点６５の内の一方が正極を、もう一方が負極を形成している。同様に、２箇所の電池側穴接点６６の内の一方が正極を、もう一方が負極を形成している。
【００２８】
２つの蓄電池装置６０を互いに接続するときは、一方の蓄電池装置６０の電池側突出接点６５が、もう一方の蓄電池装置６０の電池側穴接点６６に挿入され、互いに電気的に接続される。このとき、正極の電池側突出接点６５は正極の電池側穴接点６６に接続され、負極の電池側突出接点６５は負極の電池側穴接点６６に接続される。これにより、各蓄電池装置６０は互いに並列に電気接続される。
【００２９】
挿入側係合部６４は、図４および図５における凹部６１の上側に形成される。この挿入側係合部６４は、後述する取付け部３２の受側係合部３４に引っ掛るように形成されている（図６）。
【００３０】
バランス錘４０は、蓄電池装置６０と同じ形状で、各取付け部３２に取り付け可能である。蓄電池装置６０の蓄電部６２に相当する部分は、所定の重量になるように鋳物等で形成される塊である。また、このバランス錘４０は、蓄電池装置６０の電池側突出接点６５と同じ形状の突出部（図示せず）と、電池側穴接点６６と同じ形状の穴部（図示せず）と、が形成されている。これらの突出部および穴部を含むバランス錘４０の表面は、電気絶縁されるように絶縁膜等が形成されている。なお、バランス錘４０の突出部および穴部並びにそれらの周辺を絶縁材で形成してもよい。
【００３１】
一方、取付け部３２は、上述したように床板受けフレーム３１の４隅それぞれに形成される。この取付け部３２は、各４隅それぞれの下部が開口して、この開口部３３の縁に受側係合部３４が形成される（図６）。この受側係合部３４には、蓄電池装置６０の接続部の２箇所の電池側突出接点６５がそれぞれ挿入可能なフレーム側穴接点３５が形成されている。
【００３２】
このフレーム側穴接点３５は、蓄電池装置６０に電気的に接続されて、充電装置５０が蓄電池装置６０を充電するための電気回路に接続されると共に、蓄電池装置６０が機器制御装置２２に電力を供給するための電気回路にも接続される。どちらの回路に接続されるかは、蓄電池装置６０の充電状態によって決められる。
【００３３】
本実施形態では、４隅それぞれに少なくとも１つの蓄電池装置６０が配置されるように、各蓄電池装置６０の電気容量が定められている。すなわち、本実施形態では、乗りかご１０に配置される電気装置を稼動させるために必要な電力を、少なくとも４つの蓄電池装置６０で供給する。
【００３４】
この各取付け部３２に取り付けられた蓄電池装置６０には、バランス錘４０を連結することも可能である。この場合、蓄電池装置６０の電池側穴接点６６に、バランス錘４０の電気的に絶縁された突出部が連結される。
【００３５】
続いて、バランス錘４０および蓄電池装置６０で、乗りかご１０に作用する荷重の偏りを小さくする手順を説明する。
【００３６】
先ず、乗りかご１０が昇降路１０５内に吊り下げられた状態で、床板受けフレーム３１の４隅それぞれに１つの蓄電池装置６０を取り付ける。この状態で、乗りかご１０に作用する荷重の偏りを調べる。例えば、床板１５が水平に配置されるか否か等を調べればよい。
【００３７】
荷重の偏りを調整するために、各４隅の取付け部３２に、蓄電池装置６０を追加する。蓄電池装置６０を追加することで、乗りかご１０に作用する荷重のバランスが変わる。乗りかご１０に作用する荷重の偏りが所定値以下になるまで、床板受けフレーム３１の４隅いずれかの取付け部３２に蓄電池装置６０を追加する。このとき、蓄電池装置６０を追加するだけでなく、バランス錘４０を追加してもよい。
【００３８】
蓄電池装置６０を追加するときは、既に取り付けられている蓄電池装置６０の電池側穴接点６６に、追加する蓄電池装置６０の電池側突出接点６５を挿入させて、互いに連結させる。このように構成することで、蓄電池装置６０の電気接点の接続作業が容易になり、当該作業を効率よく行える。
【００３９】
以上の説明からわかるように本実施形態によれば、バランス錘４０の少なくとも一部を蓄電池装置６０に置き換えることが可能になる。これにより、テールコードレスタイプのエレベータの乗りかご１０の重量の増加を抑制することが可能である。
【００４０】
また、蓄電池装置６０を取り付ける作業が、乗りかご１０の荷重の偏りを調整する作業と、蓄電池装置６０の据付作業とを兼ねるため、これらの作業を効率よく行うことが可能になる。
【００４１】
［第２の実施形態］
第２の実施形態のエレベータについて、図７を用いて説明する。図７は、本実施形態に係るエレベータの蓄電池装置６０およびその付近を示す概略正面図である。なお、本実施形態は、第１の実施形態（図１〜図６）の変形例であって、第１の実施形態と同一部分または類似部分には、同一符号を付して、重複説明を省略する。
【００４２】
本実施形態の床板受けフレーム３１の各取付け部３２は、水平に延びる取付け棒３８ａと、この取付け棒３８ａを床板受けフレーム３１に連結する連結部材３８と、を有する。この取付け棒３８ａの一方の端部（図７における左方端部）が、連結部材３８に連結される。連結部材３８には、第１の実施形態と同様に、フレーム側穴接点３５が形成されている。
【００４３】
本実施携帯の蓄電池装置６０は、この取付け棒３８ａが貫通可能な取付け穴６８が形成されている。この蓄電池装置６０は、連結部材３８に形成されるフレーム側穴接点３５に挿入可能な電池側突出接点６５が形成される。この蓄電池装置６０の取付け穴６８に取付け棒３８ａを貫通させて、電池側突出接点６５をフレーム側穴接点３５に挿入して固定される。
【００４４】
複数の蓄電池装置６０を取り付ける場合には、図７に示すように、取付け棒３８ａが延びる方向に蓄電池装置６０を積層させて、押え部材３８ｂ等で固定する。取付け棒３８には、これらの蓄電池装置６０と同じ形状のバランス錘４０を取り付けることも可能である。
【００４５】
これにより、第１の実施形態と同様に効果を得ることができる。
【００４６】
［第３の実施形態］
第３の実施形態のエレベータについて、図８を用いて説明する。図８は、本実施形態のエレベータの蓄電池装置６０およびその付近を示す概略正面図である。なお、本実施形態は、第１の実施形態（図１〜図６）の変形例であって、第１の実施形態と同一部分または類似部分には、同一符号を付して、重複説明を省略する。
【００４７】
本実施形態の床板受けフレーム３１の各取付け部３２は、１つの面に開口部が形成された内部に空間が形成される直方体状である。この取付け部３２の内側の下面には、フレーム側穴接点３５が形成される。
【００４８】
蓄電池装置６０は、第１の実施形態と同じ形状で、取付け部３２内の空間内に取り付けられ、電池側突出接点６５が当該フレーム側穴接点３５に挿入されて固定される。
【００４９】
複数の蓄電池装置６０を取り付ける場合には、図８に示すように、各蓄電池装置６０を鉛直に積層させればよい。このとき、最下は蓄電池装置６０であれば、この蓄電池装置６０の上にはバランス錘４０を積層してもよい。
【００５０】
これにより、第１の実施形態と同様に効果を得ることができる。
【００５１】
［第４の実施形態］
第４の実施形態のエレベータについて、図９および図１０を用いて説明する。図９は、本実施形態のエレベータの蓄電池装置６０を示す概略正面図である。図１０は、図９の収容部９２ａに蓄電部材９９を挿入する状態を示す斜視図である。なお、本実施形態は、第１の実施形態（図１〜図６）の変形例であって、第１の実施形態と同一部分または類似部分には、同一符号を付して、重複説明を省略する。
【００５２】
本実施形態の蓄電池装置６０は、第１の実施形態の蓄電部６２と同じ機能を有する蓄電部材９９と、この蓄電部材９９を収容可能な電池収容部材９２と、を有する。電池収容部材９２は、第１の実施形態の蓄電池装置６０と同じ外形形状である。また、この電池収容部材９２は、電池側突出接点６５および凹部６１の間に形成された分割部９４で収容部９２ａと蓋部９２ｂに分割可能である。
【００５３】
蓄電部材９９は、電池収容部材９２が２つに分割されているとき（図１０）に、収容部９２ａ内に収容される。なお、図示は省略するが、蓋部９２ｂが収容部９２ａに嵌め込まれるように形成される。
【００５４】
これにより、既存の蓄電池を蓄電部材９９として用いることが可能になるため、乗りかご１０の電気装置に電力を供給するシステムの製作コストを、第１の実施形態よりも抑制することが可能になる。
【００５５】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００５６】
例えば、第１の実施形態の蓄電池装置６０と、第４の実施形態で説明した蓄電池装置６０とを、同じ取付け部３２に積層させて連結させてもよい。
【００５７】
また、上記実施形態では、各蓄電池装置６０を並列に電機接続させているが、これに限らない。直列に電気接続させるように構成することも可能である。
【符号の説明】
【００５８】
１０…乗りかご、１２…天井板、１３…側板、１４…かご扉、１５…床板、２０…かご室、２１…照明装置、２２…機器制御装置、３０…乗りかごフレーム、３１…床板受けフレーム、３２…取付け部、３３…開口部、３４…受側係合部、３５…フレーム側穴接点、３６…梁、３８…連結部材、３８ａ…取付け棒、３８ｂ…押え部材、４０…バランス錘、５０…充電装置、５１…受電部、５２…充電部、６０…蓄電池装置、６１…凹部、６２…蓄電部、６３…電気接点接続部、６４…挿入係合部、６５…電池側突出接点、６６…電池側穴接点、６８…取付け穴、７０…給電装置、７１…給電部、９２…電池収容部材、９２ａ…収容部、９２ｂ…蓋部、９４…分割部、９９…蓄電部材、１００…巻上げ機、１０１…メインロープ、１０２…釣合い錘、１０４…乗場、１０５…昇降路
【図１】
2011246218.tif 000003
【図２】
2011246218.tif 000004
【図３】
2011246218.tif 000005
【図４】
2011246218.tif 000006
【図５】
2011246218.tif 000007
【図６】
2011246218.tif 000008
【図７】
2011246218.tif 000009
【図８】
2011246218.tif 000010
【図９】
2011246218.tif 000011
【図１０】
2011246218.tif 000012